(57)【要約】【課題】軒樋支持具本体を小型化すると共に簡易な構造にでき、しかも、取付後の軒樋に強風などが吹きつけても、該軒樋のがたつきを確実に防止して音鳴りを確実に解消できる軒樋支持具を提供する。【解決手段】軒樋支持具本体１の前方に設けた上面開口の軒樋耳部嵌合凹所２に、軒樋Ｔの前耳Ｔ１を嵌合係止してなる軒樋支持具において、前記軒樋耳部嵌合凹所２の後方壁３１上端部に、前記前耳Ｔ１を押圧して変形させる押圧部３を突設すると共に、前記軒樋耳部嵌合凹所２の前方壁４１上端部に、前記前耳Ｔ１の支点部４を形成したことを特徴とする。【選択図】図１
2009108471.tif 000002
【特許請求の範囲】
【請求項１】
軒樋支持具本体の前方に設けた上面開口の軒樋耳部嵌合凹所に、軒樋の前耳を嵌合係止してなる軒樋支持具において、
前記軒樋耳部嵌合凹所の後方壁上端部に、前記前耳を押圧して変形させる押圧部を突設すると共に、
前記軒樋耳部嵌合凹所の前方壁上端部に、前記前耳の支点部を形成したことを特徴とする軒樋支持具。
【請求項２】
請求項１において、
押圧部及び／又は支点部は、先端に向けて幅狭に形成している軒樋支持具。
【請求項３】
請求項１又は２の何れかにおいて、
軒樋耳部嵌合凹所の下方に延設される軒樋支持具本体の前壁部に、前方側に向けて突設した下支え突部を形成してなる軒樋支持具。
【発明の詳細な説明】
【技術分野】
【０００１】
本発明は、軒樋の前耳を嵌合係止する軒樋支持具に関し、詳しくは、軒樋支持具本体の前部に設けた上面開口の軒樋耳部嵌合凹所に、軒樋の前耳を嵌合係止してなる軒樋支持具に関する。
【背景技術】
【０００２】
軒樋には、種々の形状が存在するが、その中でも、軒樋の前耳が前方に突出していない形状のものが知られている。
【０００３】
このような軒樋を支持する従来の軒樋支持具としては、軒樋支持具本体の前端から上方に向けて延設された差込片と、前記軒樋支持具本体の前端から下方に向けて延設された押さえ片と、これらの押さえ片と差込片との間で前記軒樋支持具本体の前端に前方へ突出した突起を備えたものがあった（例えば、特許文献１参照。）。
【０００４】
そして、前記軒樋を支持するには、軒樋支持具の差込片に、軒樋の前耳を嵌合し、この状態で軒樋を回転して前記後耳を後耳係止部に嵌合すれば、前記押さえ片の下端部が前記軒樋の底壁部に面接触すると共に、前記突起が内方へ屈曲した凹溝型の溝部を下方から支持する。
【０００５】
そのため、この軒樋支持具によれば、これら押さえ片、差込片、突起によって、前記軒樋に対して三箇所の支持および係止を行うことで、強風などが吹きつけても、取り付けられた軒樋のがたつきを防止できるというものである。
【特許文献１】特開平９−１５１５８０号
【発明の開示】
【発明が解決しようとする課題】
【０００６】
しかし、この軒樋支持具では、前記軒樋支持具本体の前端から上方及び下方に向けて各々差込片と押さえ片が延設される構造であるため、軒樋支持具本体が大型化すると共に、構造が複雑になるという問題があった。
【０００７】
また、この軒樋支持具は、前記押さえ片、差込片、突起によって、前記軒樋に対して三箇所の支持および係止を行うことによって軒樋のがたつきを防止せんとするものであるが、軒樋に対する支持及び係止の箇所を２箇所から３箇所に増設しただけでは、その係止力が未だ弱く、不十分であり、取付後の軒樋に対して強風などが吹きつけると、軒樋全体ががたついてしまい、カタカタと音鳴りが生じるという問題があった。
【０００８】
本発明は、かかる課題を解決することを目的とし、軒樋支持具本体を小型化すると共に簡易な構造にでき、しかも、取付後の軒樋に強風などが吹きつけても、該軒樋のがたつきを確実に防止して音鳴りを確実に解消できる軒樋支持具を提供する。
【課題を解決するための手段】
【０００９】
前記目的を達成するため、
請求項１に係る軒樋支持具は、軒樋支持具本体の前方に設けた上面開口の軒樋耳部嵌合凹所に、軒樋の前耳を嵌合係止してなる軒樋支持具において、前記軒樋耳部嵌合凹所の後方壁上端部に、前記前耳を押圧して変形させる押圧部を突設すると共に、前記軒樋耳部嵌合凹所の前方壁上端部に、前記前耳の支点部を形成したことを特徴とする。
【００１０】
請求項２に係る軒樋支持具は、請求項１において、押圧部及び／又は支点部は、先端に向けて幅狭に形成している。
【００１１】
請求項３に係る軒樋支持具は、請求項１又は２の何れかにおいて、軒樋耳部嵌合凹所の下方に延設される軒樋支持具本体の前壁部に、前方側に向けて突設した下支え突部を形成してなる。
【発明の効果】
【００１２】
本発明によれば、次のような効果がある。
【００１３】
請求項１に係る軒樋支持具によれば、軒樋耳部嵌合凹所の後方壁上端部に、軒樋の前耳を押圧して変形させる押圧部を突設すると共に、前記軒樋耳部嵌合凹所の前方壁上端部に、前記前耳の支点部を形成しているため、軒樋の前耳を軒樋耳部嵌合凹所に上方から挿入し、軒樋を回転して後耳を後耳係止部に嵌合する際、前記押圧部が軒樋を押圧して変形させながら、すなわち、軒樋の弾性力に抗しながら、後耳を後耳係止部に嵌合するようにしている。
【００１４】
そのため、軒樋支持具本体を小型化すると共に簡易な構造にでき、しかも、軒樋の弾性力によって、軒樋の前耳が押圧部及び支点部に圧着した状態で取付けでき、更に、後耳も後耳係止部に圧着した状態で嵌合できるので、取付後における軒樋の係止力を強くすることができ、前記軒樋に対して強風などが吹きつけても、軒樋全体ががたつく恐れを確実に防止して音鳴りを確実に解消できる。
【００１５】
請求項２に係る軒樋支持具によれば、押圧部及び／又は支点部を先端に向けて幅狭に形成しているので、押圧部及び／又は支点部と軒樋との接触面積を軽減できる。
【００１６】
そのため、軒樋の弾性力によって、軒樋全体ががたつく恐れを確実に防止して音鳴りを確実に解消できると共に、取付後の軒樋を長手方向にスライドさせることができ、取付後における軒樋のスライド調節を容易にできる。
【００１７】
請求項３に係る軒樋支持具によれば、請求項１又は２の何れかにおける軒樋耳部嵌合凹所の下方に延設される軒樋支持具本体の前壁部に、前方側に向けて突設した下支え突部を形成してなるため、軒樋の前耳とともに該軒樋の前壁も下支え突部に圧着され、軒樋全体のがたつきを一層確実に防止して音鳴りを一層確実に解消できる。
【発明を実施するための最良の形態】
【００１８】
以下、本発明に係る軒樋支持具Ａを図面とともに説明する。
【実施例１】
【００１９】
図１は、本発明に係る軒樋支持具Ａの一実施例を示す取付状態側面図であり、図２は、図１で示した軒樋支持具Ａの取付状態平面図、図３（ａ）〜（ｃ）は、図１、図２で示した軒樋支持具Ａの取付動作図である。
【００２０】
なお、図１〜図３において共通する部位には、同一の符号を付し、重複する説明は省略する。
【００２１】
この軒樋支持具Ａは、軒樋支持具本体１の前方に設けた上面開口の軒樋耳部嵌合凹所２に、軒樋Ｔの前耳Ｔ１を嵌合係止するものであって、軒樋耳部嵌合凹所２の後方壁３１上端部に、前耳Ｔ１を押圧して変形させる押圧部３を突設すると共に、軒樋耳部嵌合凹所２の前方壁４１上端部に、前耳Ｔ１の支点部４を形成している。
【００２２】
ここで、軒樋耳部嵌合凹所２とは、前耳Ｔ１を収容可能な上面開口された空間を意味し、前耳Ｔ１の形状等に応じて適宜形成される。
【００２３】
本発明は、このような上面開口された軒樋耳部嵌合凹所２の後方壁３１上端部に、前耳Ｔ１を押圧して変形させる押圧部３を突設すると共に、軒樋耳部嵌合凹所２の前方壁４１上端部に、前耳Ｔ１の支点部４を形成している。
【００２４】
これら押圧部３及び／又は支点部４の形状は、前耳Ｔ１の形状に応じて適宜選択されるが、少なくとも、前耳Ｔ１を支持する支点部４と、該前耳Ｔ１を押圧して変形させる押圧部３を設けていれば良く、本実施例では、これら押圧部３及び支点部４を各々先端に向けて幅狭に形成した略円弧状にしている。
【００２５】
なお、本実施例の軒樋Ｔは、合成樹脂にて一体成形したものを例示しているが、金属製の軒樋Ｔでも構わない。
【００２６】
以上のように構成した本発明の軒樋支持具Ａは、以下の要領で作用する。
【００２７】
先ず、軒先等の壁面Ｈに軒樋支持具本体１の基端側を周知手段で固定して設置する。
【００２８】
次に、軒樋Ｔを略傾斜させた状態にして、前耳Ｔ１を軒樋耳部嵌合凹所２に嵌合する〔図３（ａ）参照。〕。
【００２９】
次に、前耳Ｔ１を軒樋耳部嵌合凹所２に嵌合した状態で、図中矢印で示すように、軒樋Ｔの後耳Ｔ２を後耳係止部５の方向（図中では、反時計方向）に回転する。
【００３０】
このとき、前耳Ｔ１の一部が支点部４を支点にして回転するが、該前耳Ｔ１の先端側上面が押圧部３に接合して、それ以上の軒樋Ｔの回転が規制される。
【００３１】
更に、図中矢印で示すように、この規制された状態から軒樋Ｔを回転方向に押圧すれば、押圧部３が前耳Ｔ１の先端側上面を押圧して軒樋Ｔが変形しながら、すなわち、軒樋Ｔの弾性力に抗しながら、後耳Ｔ２を後耳係止部５に嵌め入れる。〔図３（ｂ）参照。〕。
【００３２】
そして、軒樋Ｔの弾性力を開放すれば、図中白抜き矢印で示すように、軒樋Ｔの弾性力によって、後耳Ｔ２が後耳係止部５に下方向に押し付けられて確実に嵌合されると共に、軒樋Ｔの前耳Ｔ１が押圧部３及び支点部４に圧着した状態で取付けされる〔図３（ｃ）参照。〕。
【００３３】
そのため、本発明の軒樋支持具Ａによれば、軒樋Ｔの弾性力によって、軒樋Ｔの前耳Ｔ１を押圧部３及び支点部４に圧着した状態で取付けることができ、更に、後耳Ｔ２も後耳係止部５に圧着した状態で嵌合できるので、軒樋支持具本体１を小型化して簡易な構造にでき、しかも、取付後における軒樋Ｔの係止力を強くすることができ、軒樋Ｔに対して強風などが吹きつけても、軒樋Ｔ全体ががたつく恐れを確実に防止して軒樋の音鳴りを確実に解消できる。
【００３４】
更に、本実施例では、軒樋耳部嵌合凹所２の下方に延設される軒樋支持具本体１の前壁部に、前方側（外側）に向けて突設した下支え突部６を形成している。
【００３５】
そのため、前耳Ｔ１の先端側上面が押圧部３に接合する際、軒樋Ｔの前壁内側に向けて突設した凹部Ｔ３も略同時に下支え突部６に接合して、軒樋Ｔの回転がより強固に規制されるため、軒樋Ｔの弾性力を一層強くでき、取付後における軒樋Ｔ全体のがたつきを一層確実に防止することができる。
【図面の簡単な説明】
【００３６】
【図１】本発明に係る軒樋支持具Ａの一実施例を示す取付状態側面図である。
【図２】図１で示した軒樋支持具Ａの取付状態平面図である。
【図３】（ａ）〜（ｃ）は、図１、図２で示した軒樋支持具Ａの取付動作図である。
【符号の説明】
【００３７】
Ａ    軒樋支持具
Ｔ    軒樋
Ｔ１  前耳
１    軒樋支持具本体
２    軒樋耳部嵌合凹所
３    押圧部
３１  後方壁
４    支点部
４１  前方壁
６    下支え突部
【図１】
2009108471.tif 000003
【図２】
2009108471.tif 000004
【図３】
2009108471.tif 000005